(57)【要約】【課題】ワークフローの効率的な引き継ぎを可能とする医用情報処理システムの提供。【解決手段】実行部３１は、ユーザ操作に従って医用情報アプリケーションプログラムを実行し、医用情報を処理する。実行制御部３３は、医用情報アプリケーションプログラムの実行を中断するために、実行部３１を制御する。操作情報記憶部３７は、中断時点と所定時点との間のユーザ操作に関する操作情報を時系列で記憶する。表示部５３は、医用情報アプリケーションプログラムの処理結果を表示するためのディスプレイを有する。再生部４９は、所定時点と中断時点との間のユーザ操作を操作情報に従ってディスプレイ上に再生する。【選択図】      図２
2011039877.tif 000002
【特許請求の範囲】
【請求項１】
ユーザ操作に従ってアプリケーションプログラムを実行し、医用情報を処理する実行部と、
前記アプリケーションプログラムの実行を中断するために、前記実行部を制御する制御部と、
前記中断が行なわれた中断時点と前記中断時点以前の所定時点との間に行なわれたユーザ操作に関する操作情報を時系列で記憶する記憶部と、
前記アプリケーションプログラムの処理結果を表示するためのディスプレイを有する表示部と、
前記中断時点と前記所定時点との間のユーザ操作を前記操作情報に従って前記ディスプレイ上に再生する再生部と、
を具備する医用情報処理システム。
【請求項２】
前記記憶部は、前記操作情報として、前記所定時点から前記中断時点までに前記ディスプレイに表示された表示画面のデータ、又は、前記所定時点から前記中断時点までにおける操作ログを時系列で記憶する、請求項１記載の医用情報処理システム。
【請求項３】
ユーザ権限に応じて、前記ユーザ操作の再生中において表示される患者情報を表示するか否かを決定するユーザ権限管理部をさらに備える、請求項１記載の医用情報処理システム。
【請求項４】
前記記憶部は、前記操作ログのうちの特定の操作ログと、前記特定の操作ログに対応する画像処理により生成された処理画像のデータとを関連付けて記憶し、
前記再生部は、前記特定の操作ログに関する操作ログを再生せずに、前記処理画像を表示する、
請求項２記載の医用情報処理システム。
【請求項５】
前記記憶部は、前記中断時点におけるアプリケーションプログラムの実行状態を再現するためのパラメータを記憶し、
前記制御部は、前記中断時点におけるアプリケーションプログラムの実行状態を再現するために、前記パラメータに従って前記実行部を制御する、
請求項１記載の医用情報処理システム。
【発明の詳細な説明】
【技術分野】
【０００１】
本発明は、シンクライアント環境化における医用情報処理システムに関する。
【背景技術】
【０００２】
現在、シンクライアント環境化で病院内の医用情報処理システムを構築することが試みられている。病院内の医用情報処理システムでは、病院で実施されるワークフローをサポートする必要がある。シンクライアント環境下においても当然シンクライアント間でワークフローの引き継ぎを行なわねばならない。
【０００３】
従来技術として、ワークフローを引き継ぐ際に前回の最後の状態を医用画像情報システムで記憶しておくものがある。しかし、この従来技術を用いた場合、ユーザは、最後の状態のみを理解できるだけで、最後の状態に至るまでの内容（経緯）を理解することができない。また、病院内の医用情報処理システムで扱う情報には、患者情報が含まれるので、ワークフローの引き継ぎ時に患者情報の取り扱いに注意が必要である。また、病院では人命に係る業務が行なわれているため、業務の効率化が重要であり、ワークフローを効率的に実行することが重要である。
【０００４】
なお特許文献１には、超音波診断装置での心臓の画像表示例が示されている。
【先行技術文献】
【特許文献】
【０００５】
【特許文献１】特開２００７―４４４９９号公報
【発明の概要】
【発明が解決しようとする課題】
【０００６】
本発明の目的は、ワークフローの効率的な引き継ぎを可能とする医用情報処理システムを提供することにある。
【課題を解決するための手段】
【０００７】
本発明の第１局面に係る医用情報処理システムは、ユーザ操作に従ってアプリケーションプログラムを実行し、医用情報を処理する実行部と、前記アプリケーションプログラムの実行を中断するために、前記実行部を制御する制御部と、前記中断が行なわれた中断時点と前記中断時点以前の所定時点との間に行なわれたユーザ操作に関する操作情報を時系列で記憶する記憶部と、前記アプリケーションプログラムの処理結果を表示するためのディスプレイを有する表示部と、前記中断時点と前記所定時点との間のユーザ操作を前記操作情報に従って前記ディスプレイ上に再生する再生部とを具備する。
【発明の効果】
【０００８】
本発明によれば、ワークフローの効率的な引き継ぎを可能とする。
【図面の簡単な説明】
【０００９】
【図１】本発明の本実施形態に係る医用情報処理システム１のネットワーク環境を示す図。
【図２】本実施形態に係るワークフローを引き継ぐためのアプリケーションプログラムに従って図１の医用情報処理システムが実行する処理の機能ブロック図。
【図３】図２の表示部に表示される、動画データの再生段階における超音波アプリケーションプログラムの初期的な表示画面の一例を示す図。
【図４】図２の表示部に表示される、動画再生中に関する超音波アプリケーションプログラムの表示画面の一例を示す図。
【発明を実施するための形態】
【００１０】
以下、図面を参照しながら本発明の実施形態に係わる医用情報処理システムを説明する。
【００１１】
図１は、本実施形態に係る医用情報処理システム１のネットワーク環境を示す図である。図１に示すように、医用情報処理システム１は、ネットワークを介して接続されたサーバ装置３と複数のクライアント装置５―１、５―２、５―３、５―４とを備える、病院内に構築されたシンクライアント型のネットワークシステムである。以下、説明の簡単のため、特に区別する必要がない場合は、クライアント装置５―１、５―２、５―３、５―４をまとめてクライアント装置５と呼ぶことにする。
【００１２】
クライアント装置５は、サーバ装置３に対して種々の指示や情報等を行なうための入力デバイスを有する。入力デバイスにより発生された入力信号は、ネットワークを介してサーバ装置３へ送信される。サーバ装置３は、種々のアプリケーションプログラムを記憶するハードディスク等の記憶デバイスを有している。また、サーバ装置３は、これら種々のアプリケーションプログラムを実行するＣＰＵ（central processing unit）を有している。サーバ装置のＣＰＵは、クライアント装置５からの入力信号に従って医用情報を処理するためのアプリケーションプログラムを記憶デバイスから読み出して展開し、読み出されたアプリケーションプログラムに従って医用情報を処理する。この際、サーバ装置３は、アプリケーションプログラムの実行時における表示画面のデータを生成し、生成された表示画面のデータをネットワークを介してクライアント装置５に送信する。クライアント装置５は、表示画面を表示するためのディスプレイを有する。クライアント装置５は、サーバ装置３からの表示画面のデータの供給を受け、供給された表示画面をディスプレイに表示する。
【００１３】
異なる又は同一のクライアント装置５でワークフローを引き継ぎたい場合が考えられる。例えば、あるクライアント装置５―１でユーザがアプリケーションプログラム実行し、途中で処理を中断する。そしてある時間をおいて、ユーザはクライアント装置５―１、あるいはクライアント装置５―１とは異なる場所に設置されたクライアント装置５―３を用いて、中断したアプリケーションプログラムを再開したい場合がある。この際、クライアント装置５―１同士、あるいはクライアント装置５―１とクライアント５―３とでワークフローを引き継ぐ必要性が生じてくる。
【００１４】
本実施形態に係る医用情報処理システム１は、このようなワークフローの引き継ぎの必要性に鑑み、ユーザが確実且つ容易にワークフローを引き継げる機能、すなわち引き継ぎアプリケーションプログラムを備えている。
【００１５】
図２は、本実施形態に係るワークフローを引き継ぐための引き継ぎアプリケーションプログラムに従って医用情報処理システム１が実行する処理の機能ブロック図である。図２に示すように、医用情報処理システム１は、実行部３１、実行制御部３３、再現パラメータデータベース３５、操作情報記憶部３７、操作情報データベース３９、イベント管理部４１、ユーザ権限管理部４３、処理結果記憶部４５、処理結果データベース４７、再生部４９、操作部５１、及び表示部５３を備える。実行部３１、実行制御部３３、再現パラメータデータベース３５、操作情報記憶部３７、操作情報データベース３９、イベント管理部４１、ユーザ権限管理部４３、処理結果記憶部４５、処理結果データベース４７、及び再生部４９はサーバ装置３の機能である。また、操作部５１と表示部５３とはクライアント装置５の機能である。
【００１６】
実行部３１は、実行制御部３３からの制御のもと、操作部５１を介したユーザ操作に従って、医用情報を処理するための情報処理アプリケーションプログラムを実行する。
【００１７】
実行制御部３３は、操作部５１を介したユーザ操作に従って実行部３１を制御する。例えば、実行制御部３３は、操作部５１を介して医用情報アプリケーションプログラムの中断指示がなされたことを契機として、医用情報アプリケーションプログラムの実行を中断するために実行部３１を制御する。また、実行制御部３３は、操作部５１を介して医用情報アプリケーションプログラムの中断指示がなされたことを契機として、中断指示がなされた時点における再現パラメータを再現パラメータデータベース３５に記憶する。再現パラメータは、中断指示がなされた時点における医用情報アプリケーションプログラムの実行状態を再現するためのパラメータである。再現パラメータは、例えば、中断指示がなされた時点における画像処理のパラメータである。また、実行制御部３３は、操作部５１を介してワークフローの引き継ぎ指示がなされたことを契機として、再現パラメータデータベース３５から、対応する再現パラメータを読み出す。そして実行制御部３３は、中断時における医用情報アプリケーションプログラムの実行状態を再現するために、読み出された再現パラメータに従って実行部３１を制御する。
【００１８】
再現パラメータデータベース３５は、再現パラメータと、その再現パラメータに対応するワークフローの識別情報とを関連付けて記憶する。
【００１９】
操作情報記憶部３７は、医用情報アプリケーションプログラムの実行時におけるユーザ操作に関する操作情報を取得し、時系列で操作情報データベース３９に記憶する。典型的には操作情報記憶部３７は、中断指示がなされた中断時点と中断時点以前の所定時点との間に行われたユーザ操作に関する操作情報を時系列で操作情報データベース３９に記憶する。例えば、操作情報記憶部３７は、所定のワークフロー単位で操作情報を操作情報データベース３９に記憶する。ワークフローは、例えば、医用情報アプリケーションプログラム開始から終了まで、あるいはログインからログアウトを１単位とする。なお、所定時点は、ユーザにより操作部５１を介して任意に設定可能である。例えば、所定時点は、中断指示がなされた時点から遡って５分前や１０分前である。まるいは、所定時点は、医用情報アプリケーションの開始時や、ワークフローの開始時であってもよい。操作情報は、具体的には、医用情報アプリケーションプログラム実行中における表示画面（動画）のデータ又は操作ログである。操作情報が動画のデータの場合、操作情報記憶部３７は、医用情報アプリケーションプログラム実行中においてディスプレイに表示されている動画のデータをスクリーンキャプチャ機能等を用いて取得し、取得された動画のデータを時系列で操作情報データベース３９に録画する。操作情報が操作ログの場合、操作情報記憶部３７は、クライアント装置５からの入力信号を解析し操作ログを生成し、生成された操作ログを時系列で操作情報データベース３９に記憶する。
【００２０】
操作情報データベース３９は、操作情報と、その操作を実行していたユーザのユーザ識別情報とを関連付けて記憶している。また操作情報データベース３９は、操作情報と、その操作情報の再生を許可されたユーザ、あるいは再生を許可されないユーザのユーザ識別情報とを関連付けて記憶している。これらユーザ識別情報は、ユーザにより操作部５１を介して設定可能である。また、操作情報は、その操作情報を識別するための操作識別番号に関連付けられて記憶される。
【００２１】
操作部５１は、ユーザによる操作を受付ける上述の入力デバイスを備える。操作部５１は、ユーザにより入力デバイスを介して入力された入力信号をサーバ装置３に送信する。例えば、操作部５１は、ユーザの指示に従って再生対象の操作情報を選択し、選択に応じた入力信号をサーバ装置３に送信する。入力デバイスとしては、マウスやトラックボールなどのポインティングデバイス、モード切替スイッチ等の選択デバイス、あるいはキーボード等が適宜利用可能である。
【００２２】
イベント管理部４１は、操作部５１からの入力信号を管理し、操作情報を再生するタイミングを決定する。再生するタイミングとしては、例えば、ユーザがシステムにログインした時、ワークフローを選択した時、医用情報アプリケーションプログラムを起動した時などがある。このタイミングは、操作部５１を介して任意に設定可能である。また、イベント管理部４１は、操作部５１を介して選択された操作情報を再生対象の操作情報に決定する。
【００２３】
ユーザ権限管理部４３は、サーバ装置３へのログインの際にユーザ認証を行い、ユーザ認証されたユーザが操作情報や操作情報に含まれる特定の情報（例えば、患者情報）を再生する権限を有しているか否かを判定する。具体的には、ユーザ権限管理部４３は、ユーザ認証されたユーザに関するユーザ識別情報に基づいて、ユーザが再生対象の操作情報の再生を許可されているか、あるいは許可されていないかを判定する。そして再生が許可されていると判定した場合、ユーザ権限管理部４３は、再生部４９に許可信号を供給する。再生が許可されていないと判定した場合、ユーザ権限管理部は４３、再生部４９に非許可信号を供給する。
【００２４】
処理結果記憶部４５は、後述の縮小画像や、画像処理を実行することにより得られた処理画像（例えば、ボリュームレンダリング画像、Wall Motion Tracking等により生成された画像）のデータやパラメータ（例えば、組織や血流の移動速度、Radial Strain等）等の処理結果のデータを処理結果データベース４７に記憶する。例えば、処理結果記憶部４５は、医用情報アプリケーションプログラムの終了時における表示画面を縮小させた画像である縮小画像のデータを処理結果データベース４７に記憶する。
【００２５】
処理結果データベース４７は、縮小画像のデータと操作識別番号とを関連付けられて記憶している。また処理結果データベース４７は、操作情報が操作ログの場合、操作ログと、その操作ログに対応する画像処理により生成された処理画像のデータとを関連付けて記憶している。例えば処理結果データベース４７は、画像処理の実行要求に関する操作ログと、その画像処理により生成された処理画像のデータとを関連付けて記憶している。
【００２６】
再生部４９は、ユーザ権限管理部４３から許可信号が供給された場合、イベント管理部４１により決定されたタイミングで、操作部５１により選択された再生対象の操作情報を表示部５３のディスプレイに再生する。操作情報が動画の場合、再生部４９は、表示画面のデータを動画再生することにより、ユーザ操作をディスプレイに再現する。操作情報が操作ログの場合、再生部４９は、操作ログを再実行することにより、操作ログに対応するユーザ操作をディスプレイに再現する。より具体的には、操作ログに従って医用情報アプリケーションプログラム実行中における表示画面のデータを再生成し、再生成された表示画面のデータをクライアント装置５に送信し、ディスプレイに動画表示させる。
【００２７】
表示部５３は、医用情報アプリケーションプログラム実行中における表示画面を表示するディスプレイを備える。表示部５３は、サーバ装置３から送信される表示画面のデータを受信し、受信した表示画面をディスプレイに表示する。ディスプレイとしては、例えばＣＲＴディスプレイや、液晶ディスプレイ、有機ＥＬディスプレイ、プラズマディスプレイ等が適宜利用可能である。
【００２８】
次に本実施形態に係る医用情報処理システム１の典型的な動作例を、操作情報の種類、すなわち表示画面のデータと操作ログとに分けて説明する。以下の説明を具体的に行なうため医用情報アプリケーションプログラムは、超音波診断装置により得られた超音波画像を処理対象とする超音波アプリケーションプログラムであるとする。引き継ぎアプリケーションプログラムは、この超音波アプリケーションプログラムに組み込まれているものとする。操作情報を再生するタイミングは、ワークフローが選択された時であるとする。
【００２９】
（操作情報が動画データの場合）
まず、動画データの記憶段階について説明する。動画データの記憶段階において操作情報記憶部３７は、超音波アプリケーションプログラムの実行中にディスプレイに表示されている動画データを操作情報データベース３９に時系列で記憶している。そして、操作部５１から超音波アプリケーションプログラムの中断指示に関する入力信号を受けたことを契機として、操作情報記憶部３７は、所定時刻から中断時刻までの間の動画データを操作情報データベース３９に時系列で記憶する。所定時刻は、例えば、ワークフローの開始時刻や、超音波アプリケーションプログラムの実行開始時刻、中断時刻からユーザ指定時間前等である。所定時刻より以前の動画データは、操作情報データベース３９から削除される。ユーザ指定時間は、例えば、５分、１０分等であり、ユーザにより操作部５１を介して任意に設定可能である。
【００３０】
また、再生部４９による動画データの再生後にそのワークフローが引き継がれるために、動画データの記憶段階において実行制御部３３は、中断時における超音波アプリケーションプログラムの実行状態を再現するための再現パラメータを再現パラメータデータベース３５に記憶する。具体的には、以下のように行なわれる。まず、実行制御部３３は、操作部５１を介した超音波アプリケーションプログラムの中断指示がなされたことを契機として、実行部３１による超音波アプリケーションプログラムの実行状態を再現するための再現パラメータを特定する。例えば、実行制御部３３は、超音波アプリケーションプログラムによる画像処理のパラメータを再現パラメータとして特定する。そして実行部３１は、特定された再現パラメータを再現パラメータデータベース３５に記憶する。この際、実行部３１は、その超音波アプリケーションプログラムが属するワークフローの識別情報に再現パラメータを関連づけて再現パラメータデータベース３５に記憶する。
【００３１】
次に動画データの再生段階ついて説明する。図３は、動画データの再生段階における超音波アプリケーションプログラムの初期的な表示画面Ｉ１の一例を示す図である。図３に示すように、表示画面Ｉ１は、患者情報が表示される患者情報表示領域Ｒ１や、超音波画像Ｉ２やそれに関する種々のパラメータが表示される画像表示領域Ｒ２、画像処理のためのボタン群が表示される第１ボタン表示領域Ｒ３を有する。さらに表示画面Ｉ１は、サムネイルと呼ばれる縮小画像Ｉ３が表示されるサムネイル表示領域R４を画像表示領域R１の下部に有し、サムネイル表示領域R４の左側に再生操作のためのボタン群が表示される第２ボタン表示領域R５を有する。縮小画像Ｉ３は、上述のように、操作情報を表す画像であり、その操作情報に関するワークフローの終了時における表示画面が縮小されたものである。すなわち縮小画像Ｉ３は、操作情報毎、すなわちワークフロー毎に生成される。この縮小画像Ｉ３は、動画データに関連付けられて操作情報データベース３９に記憶されている。第２ボタン表示領域Ｒ５には、動画の再生速度を設定するためのボタンＢ１や再生ボタンＢ２、停止ボタンＢ３、巻き戻しボタンＢ４、早送りボタンＢ５等が表示される。なお矢印Ａ１は、マウスカーソルである。
【００３２】
ワークフローを引き継ぐ場合、ユーザは、サムネイル表示領域Ｒ４中の縮小画像Ｉ３のうち、引き継ぎたいワークフローに対応する縮小画像Ｉ３を選択する。ユーザにより操作部５１を介して縮小画像Ｉ３が選択されることを契機として再生部４９は、選択された縮小画像Ｉ３に対応する動画データの再生を開始する。より詳細には、再生部４９は、選択された縮小画像Ｉ３に関連付けられた操作識別番号をキーとして操作情報データベース３９を検索し、キーとした操作識別番号に関連付けられた動画データを特定する。そして再生部４９は、特定された動画データを操作情報データベース３９から読み出して、表示部５３に表示させる。
【００３３】
図４は、動画データの再生中に関する超音波アプリケーションプログラムの表示画面Ｉ４の一例を示す図である。図４に示すように、縮小画像が選択されると、選択された縮小画像に対応する動画がディスプレイ上に再生される。このようにワークフロー実行時に関する動画、具体的には、マウスカーソルＡ２の動きや超音波画像Ｉ２を観察することでユーザは、過去に自分や他人がどのような処理を一目瞭然に確認できる。そして再生された動画の終わり、すなわちワークフロー終了時まで再生されると動画が停止する。
【００３４】
なお、再生部４９は、動画の初めから終わりまでを全て再生する必要はない。動画の再生範囲としては、最後の数分間、ログインからログアウトまで、ワークフローの最初から最後まで、ユーザにより指定された時点間、ブックマーク地点間等に設定可能である。
【００３５】
また、動画の再生速度は、実際の速度、早送り、コマ送り等で操作部５１を介してボタンＢ１１を操作することにより設定可能である。操作部５１を介してマウスカーソルＡ１が操作されボタンＢ３が押されることで、再生部４９は、再生中の動画を停止させる。動画の停止中において操作部５１を介してマウスカーソルＡ１が操作されボタンＢ２が押されることで、再生部４９は、停止中の動画の再生を再開する。また、動画再生中において、操作部５１を介してマウスカーソルＡ１が操作されボタンＢ３が押されることで、再生部４９は、動画を巻き戻し、ボタンＢ４が押されることで、動画を早送りする。
【００３６】
また、動画の表示方法としては、ディスプレイの画面全体に表示したり、別のウィンドウで表示したりする。また、画像表示領域Ｒ２のみに限定して動画を表示させてもよい。
【００３７】
病院内の医用情報処理システム１で扱う情報には、患者情報が含まれる。従って、ワークフローの引き継ぎ時に患者情報の取り扱いに注意が必要である。ユーザ権限管理部４３は、動画の再生要求をしたユーザに応じて患者情報を表示したり非表示にしたりできる。具体的には、ユーザ権限管理部４３は、ログイン時等に操作部５１を介して入力されたユーザ識別情報に基づいてユーザ認証を行なう。次にユーザにより操作部５１を介して縮小画像Ｉ３、すなわち動画データが選択された場合、選択された動画データに操作情報データベース上でユーザ識別情報が再生非許可対象、あるいは再生許可対象として関連付けられているか否かを判定する。
【００３８】
再生非許可対象として関連付けられている場合、又は再生許可対象として関連付けられていない場合、ユーザ権限管理部４３は、患者情報を表示してはならない旨の非許可信号を再生部４９に供給する。非許可信号の供給を受けた再生部４９は、図４に示すように、患者情報表示領域Ｒ１内を黒塗り等にして表示することにより、患者情報をユーザにより視認不可能にする。
【００３９】
一方、再生非許可対象として関連付けられていない場合、又は再生許可対象として関連付けられている場合、ユーザ権限管理部４３は、患者情報を表示してよい旨の許可信号を再生部４９に供給する。許可信号の供給を受けた再生部４９は、患者情報表示領域Ｒ１を通常通り表示することにより、患者情報をユーザにより視認可能にする。
【００４０】
動画データが再生されると、ユーザは、ワークフローを引き継ぐことになる。そのため実行制御部３３は、中断時における超音波アプリケーションプログラムの実行状態を再現するために、実行部３１を制御する。具体的には、実行制御部３３は、ログイン時等に操作部５１を介して入力されたワークフローの識別情報をキーとして、再現パラメータデータベース３５を検索し、キーに関連付けられた再現パラメータを特定する。そして実行制御部３３は、中断時における超音波アプリケーションプログラムの実行状態を再現するため、特定された再現パラメータを再現パラメータデータベース３５から読み出し、この再現パラメータに従って実行部３１を制御する。これにより実行部３１は、超音波アプリケーションプログラムを引き継ぎ可能な状態に保持しておく。そして例えば、再生部４９による動画データの再生が終了したことを契機として、中断時における超音波アプリケーションプログラムの表示画面が表示部５３に表示される。そして操作部５１を介したユーザ操作に従って実行制御部３３は、中断時からの超音波アプリケーションプログラムの実行を再開するために、実行部３１を制御する。これにより、ワークフローの引き継ぎが完了する。
【００４１】
（操作情報が操作ログの場合）
次に操作情報が操作ログの場合における医用情報処理システム１の動作例について説明する。なお以下の説明において、操作情報が動画データの場合における動作と同様の部分については、必要な場合にのみ重複説明する。
【００４２】
ユーザにより操作部５１を介して縮小画像が選択されることを契機として再生部４９は、選択された縮小画像に対応する操作ログに従って、過去の超音波アプリケーションプログラム実行時におけるユーザ操作の再生を開始する。より詳細には、再生部４９は、選択された縮小画像に関連付けられた操作識別番号をキーとして操作情報データベース３３９を検索し、キーとした操作識別番号に関連付けられた操作ログを特定する。そして再生部４９は、特定された操作ログを操作情報データベース３９から読み出して、読み出された操作ログに従って表示画面のデータを生成する。そして生成された表示画面のデータをネットワークを介してクライアント装置５に供給し、ディスプレイに動画表示させる。そして操作ログの終わりまで再生されると動画が停止する。
【００４３】
処理結果記憶部４５は、再生に長時間を要する画像処理等の再生を省略するため、ユーザにより操作部５１を介した指示に従って、画像処理の実行指示に関する操作ログに、その画像処理によって生成された処理画像のデータを関連付けて処理結果データベース４７に記憶する。再生部４９は、操作ログに処理画像のデータが関連付けられている場合、その処理画像を処理結果データベース４７から読み出してディスプレイに表示させる。これと同時に再生部４９は、その画像処理に係る操作ログを読み飛ばし、画像処理終了時から再び操作ログに従ってユーザ操作の再生を行なう。
【００４４】
操作ログを記憶しておくことは、動画データを記憶しておくことに比して、記憶容量が少なくて済む。また、操作ログとスナップショットとを組み合わせることで、画像処理の再生に長時間を割く必要がなくなる。また、操作情報として操作ログを記憶した場合、操作ログの文字列を表示してもよい。
【００４５】
上記構成により本実施形態に係る医用情報処理システム１は、過去において実施されたアプリケーションプログラム実行時におけるユーザ操作を操作情報として記録しておき、ワークフロー引き継ぎ時にこの操作情報をディスプレイに再生する。これによりワークフローを引き継ぐユーザは、前段においてどのような処理が行なわれ、どこまで実行されたのかが一目瞭然に把握できる。従って、自分のワークフローであるか他人のワークフローであるかに係らず、ワークフローの引き継ぎをスムーズに行なうことできる。また、作業が途中で中断された場合にも、中断前に関する操作情報を再生することで、容易に作業を再開できる。かくして本実施形態に係る医用情報処理システム１は、ワークフローの効率的な引き継ぎを可能とする。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００４７】
以上本発明によれば、ワークフローの効率的な引き継ぎを可能とする医用情報処理システムの提供を実現することができる。
【符号の説明】
【００４８】
１…医用情報処理システム、３…サーバ装置、５…クライアント装置、３１…実行部、３３…実行制御部、３５…再現パラメータデータベース、３７…操作情報記憶部、３９…操作情報データベース、４１…イベント管理部、４３…ユーザ権限管理部、４５…処理結果記憶部、４７…処理結果データベース、４９…再生部、５１…操作部、５３…表示部
【図１】
2011039877.tif 000003
【図２】
2011039877.tif 000004
【図３】
2011039877.tif 000005
【図４】
2011039877.tif 000006